(57)【要約】【課題】  本考案は、防水携帯電話ケースに収容した携帯電話機を、違和感なく快適に使用できるようにする。【解決手段】収容した携帯電話機が透けて見えるよう、薄く透明なプラスチックフィルムを用いて形成したケース本体１に脱気用の吸引口３を設け、挿入口２と吸引口３をそれぞれスクリューキャップ２ａ、３ａで密封することで、完全防水を可能にした。さらに、吸引口３からケース本体１内の空気を口を使って抜き取り脱気することで、ケース本体１と収容した携帯電話機７とがぴったり密着するので、ケース本体表面１ａの上からでもボタン操作や通話が違和感なく快適に行なうことが可能である。【選択図】  図２
0003103326.tif 000002
【実用新案登録請求の範囲】
【請求項１】
薄く透明なプラスチックフィルムを用いて袋状に形成したケース本体の一部に筒状の脱気用吸引口を設け、携帯電話機挿入口と吸引口の二箇所の開口部をそれぞれ密封可能なスクリューキャップでの開閉方法としたところを特徴とする防水携帯電話ケース。
【請求項２】
ケース本体に設けた吸引口により、ケース本体内の空気を脱気できることを可能としたところを特徴とする請求項１に記載の防水携帯電話ケース。
【考案の詳細な説明】
【技術分野】
【０００１】  本考案は防水機能と脱気機能を備え、携帯電話機を収容したままでボタン操作や通話ができる防水携帯電話ケースに関するものである。
【背景技術】
【０００２】  従来、携帯電話機を透明な袋状のケースに収容したままでのボタン操作や通話を可能とし、防水機能も併せ持つ携帯電話ケースが幾つか提供されている。例えば、特開２００２−１４２８３５号、登録実用新案３０７３３６７号、登録実用新案３０６０１７５号等が挙げられる。しかしながらそれらも含め、軟質性のプラスチックフィルム等で袋状に形成した携帯電話ケースは、携帯電話機を収容した際、どうしてもだぶつきがあるために、ボタン操作時や通話中、あるいは視覚的に悪い影響を与えてしまうことがある。たとえば、ボタン操作中の指にケースの弛んだ部分が引っ掛かったり、手や指が汚れてベトついている時などは、ケース地が操作する指にまとわり付いたり、また、ケース表面の弛みやシワなどにより画像や文字が歪んで見えたりかすんで見えたりすることがあり、さらには素材地にもよるが、通話中にケースからガサガサといった耳障りな音が発生することがあり、通話相手にまでも不快感を与えてしまうことも確認できた。
【考案の開示】
【考案が解決しようとする課題】
【０００３】  本考案は携帯電話機を収容した透明な密封したケース内の空気を脱気することで、携帯電話機をケースに収容したままでもボタン操作や通話機能などが違和感なく快適に行なうことが可能で、ディスプレイの画像や文字も通常使用時とほとんど変わらずクリアに見ることができる防水携帯電話ケース（以下、ケース本体という）を提供しようとするものである。
【問題を解決するための手段】
【０００４】  請求項１に記載の考案は、薄く透明なプラスチックフィルムを用いて袋状に形成し、ケース本体に収容した携帯電話機が透けて見えるようにした。また、ケース本体の一部に脱気用の筒状に突起する吸引口を設け、さらに、携帯電話挿入口と吸引口との二箇所の開口部をそれぞれ密封可能なスクリューキャップでの開閉方法とすることで完全密封が可能となり、携帯電話機の完全防水を可能にした。
【０００５】  請求項２に記載の考案は、携帯電話機を収容したケース本体内の空気を吸引口より脱気し、気密性を維持することで、携帯電話機のディスプレイ面や操作面がケースとぴったりと密着した状態で、ケース本体の上からのボタン操作や通話、または、待ち受けができるようにした。
【０００６】  ケース本体最上部中央にストラップ取り付け用の穴を形成した。
【考案の効果】
【０００７】  上述のように、本考案のケース本体は完全密封を可能としたことによる防水効果にくわえ、ケース本体内を脱気し、ケース本体と収容した携帯電話機を密着させ固定することができるので、かさばらず、操作する指がケースの弛みに引っ掛かったりまとわり付いたりすることもない為、片手での正確なボタン操作が違和感なく快適に行なえ、さらに、ディスプレイ面もケース本体と密着するので、画像や文字が歪んで見えたりかすんで見えたりすることなくクリアに見ることができ、待ち受け状態時の薄暗い画面の文字や時計などもはっきりと見える。また、ストラップ取り付け用の穴をケース本体最上部中央に設けたことにより、フックなどにも真っ直ぐに引っ掛けて、待ち受けができる。
【考案の実施するための最良の形態】
【０００８】  ケース本体は透明なフィルムを用いて形成し、収容した携帯電話機の文字や画像が外からはっきり見える構成とする。ケース本体の挿入口と吸引口の開閉蓋は共にスクリューキャップによるもので、双方の封をすることによりケース本体は完全に密封される。また、携帯電話機を収容したケース本体内の空気を吸引口より口を使って吸い取る要領で脱気し、吸引用通路を指で挟み込んで外気を遮断した後密封することで、ケース本体と携帯電話機とがぴったりと密着した状態を維持することができる。さらにこの時、できる限り減圧させ、収容した携帯電話機とケース本体との隙間を極力少なくし密着させることで、本考案の効果が十分発揮できるようになる。
【実施例】
【０００９】  以下、添付図面に従って実施例を説明する。本考案の防水携帯電話ケースはケース本体１と、挿入口２と、吸引口４と、から構成されている。ケース本体１は、ポリプロピレン、ポリエチレン、塩化ビニール等からなる薄く透明なプラスチックフィルムを用い、ケース本体裏面１ｂ上部に開口部をもつ縦長の袋状に形成されており、開口部には挿入口２が設けられる。また、ケース本体１は携帯電話機７の収容時に、突っ張った部分が発生しないよう十分余裕のある大きさをもっている。【００１０】  挿入口２の開閉はスクリューキャップ２ａによるもので、挿入口２、スクリューキャップ２ａ共にプラスチックなどの一般的に知られている材質や製造方法からなる密封できるものでよく、携帯電話７の出し入れに支障がなく容易に潜らすことのできる広さをもつ挿入口であり、ケース本体裏面１ｂの開口部に溶着等で接合して設ける。さらに、スクリューキャップ２ａで封をすることにより、脱気し、密封することが可能な状態となる。【００１１】  吸引口３は吸引用通路４とからなり、ケース本体外側に突起する為、ボタン操作や通話時に邪魔にならなければどこに配置してもよく、ケース本体１と同じ材質で筒状に形成した吸引用通路４部を、ケース本体１にあらかじめ孔を形成しておいたところに溶着等で接合するか、または、ケース本体１と一体形成でもよい。また、吸引用通路４を備えることによりケース本体内を脱気し、吸引口３に封をするまでの間、ケース本体内に空気が逆流して入らないよう、一旦指で通路を挟み込み外気を遮断することができ、密封状態を仮に維持しておくことができる。また、吸引口３の開閉も、挿入口２と同じ材質、製造方法のスクリューキャップ３ａとする。
【図面の簡単な説明】
【００１２】
【図１】本考案の防水携帯電話ケースの実施例を示す携帯電話機収容状態時の裏面部を示した斜視図である。
【図２】本防水携帯電話ケースの携帯電話機収容状態時の正面部の斜視図である。
【図３】本防水携帯電話ケースの携帯電話機収容状態の脱気時の断面図である。
【図４】本防水携帯電話ケースの正面図である。
【符号の説明】
【００１３】１    ケース本体
１ａ  ケース本体表面
１ｂ  ケース本体裏面
２    挿入口
２ａ  挿入口用スクリューキャップ
３    吸引口
３ａ  吸引口用スクリューキャップ
４    吸引用通路
５    パッキン
６    ストラップ取り付け用穴
７    携帯電話機
８    パッキン
【図１】
0003103326.tif 000003
【図２】
0003103326.tif 000004
【図３】
0003103326.tif 000005
【図４】
0003103326.tif 000006